(57)【要約】【課題】オフ状態で誤って電源キーを操作してしまった場合に光源が点灯してしまう事態を回避することが可能な画像表示装置、及びその制御方法を提供する。【解決手段】プロジェクタ１は、自動電源オフ機能によってスタンバイ状態に切り替わった後で電源キーが操作（オン操作）された場合に、制御部２０が光源１１の点灯を所定時間保留し、この所定時間内に電源キーが再度操作された場合には、光源１１の点灯を中止してスタンバイ状態に戻るようになっている。このため、ユーザが自動電源オフ機能によってスタンバイ状態に切り替わったことに気付かずに、自らスタンバイ状態に切り替えようとして誤って電源キーを操作（オン操作）した場合でも、光源１１の点灯を保留している間に再度電源キーを操作することにより、光源１１が点灯してしまう事態を回避することが可能となる。【選択図】図１
2009042263.tif 000002
【特許請求の範囲】
【請求項１】
光源から射出される光を変調して形成した画像を表示する画像表示装置であって、
前記光源が点灯するオン状態と前記光源が消灯するオフ状態とを切り替えるための操作を受け付ける電源操作部と、
前記電源操作部に対する操作に応じて、前記オン状態と前記オフ状態とを交互に切り替える制御部と、
を備え、
前記制御部は、前記オフ状態で前記電源操作部が操作された場合に、前記光源の点灯を所定時間保留し、当該所定時間内に前記電源操作部が再度操作された場合には、前記光源の点灯を中止することを特徴とする画像表示装置。
【請求項２】
請求項１に記載の画像表示装置であって、
前記オン状態において所定の事象が生じた場合に、前記電源操作部に対する操作に依らずに前記オフ状態に切り替える自動電源オフ部をさらに備え、
前記制御部は、前記自動電源オフ部によって前記オフ状態に切り替わった後で前記電源操作部が操作された場合に、前記光源の点灯を所定時間保留することを特徴とする画像表示装置。
【請求項３】
請求項２に記載の画像表示装置であって、
情報を記憶する記憶部をさらに備え、
前記自動電源オフ部は、前記オフ状態に切り替える際に、前記所定の事象が生じたことに基づいて前記オフ状態に切り替える旨を表す自動オフ情報を前記記憶部に記憶させ、前記制御部は、前記オフ状態から前記オン状態に切り替える際、前記記憶部に前記自動オフ情報が記憶されている場合に前記光源の点灯を所定時間保留することを特徴とする画像表示装置。
【請求項４】
請求項２又は３に記載の画像表示装置であって、
前記オン状態において前記光源を点灯させたまま前記画像の表示を停止させるミュート部をさらに備え、
前記自動電源オフ部は、前記ミュート部が前記画像の表示を停止させてから所定時間が経過した場合に、前記オフ状態に切り替えることを特徴とする画像表示装置。
【請求項５】
請求項２〜４のいずれか１項に記載の画像表示装置であって、
前記自動電源オフ部によって前記オフ状態に切り替わった後で前記電源操作部が操作された場合に、前記オン状態への切り替えを報知する報知部をさらに備えたことを特徴とする画像表示装置。
【請求項６】
光源と、前記光源が点灯するオン状態及び前記光源が消灯するオフ状態を切り替えるための操作を受け付ける電源操作部と、前記電源操作部に対する操作に応じて前記オン状態と前記オフ状態とを交互に切り替える制御部と、を備え、前記光源から射出される光を変調して形成した画像を表示する画像表示装置の制御方法であって、
前記オン状態において所定の事象が生じた場合に、前記電源操作部に対する操作に依らずに前記オフ状態に切り替える第１のステップと、
前記第１のステップによって前記オフ状態に切り替わった後で前記電源操作部が操作された場合に、前記光源の点灯を所定時間保留する第２のステップと、
前記第２のステップにおいて前記光源の点灯を保留している間に前記電源操作部が再度操作された場合に、前記光源の点灯を中止する第３のステップと、
を備えたことを特徴とする画像表示装置の制御方法。
【発明の詳細な説明】
【技術分野】
【０００１】
本発明は、光源から射出される光を変調して形成した画像を表示する画像表示装置及びその制御方法に関する。
【背景技術】
【０００２】
光源から射出された光を変調して画像を形成する画像表示装置（例えば、プロジェクタ）において、画像の表示を一時的に停止させる画像ミュート機能を備えたものが知られている（例えば、特許文献１参照）。この画像ミュート機能は、例えば、画像を表示させながらプレゼンテーションを行っている際に、ファイルを切り替える過程を聴衆に見せたくない場合や、聴衆を発表者の説明に集中させたい場合等に利用されている。特許文献１に記載の画像表示装置では、ユーザは、ユーザインターフェイスを介して画像ミュートを指示することにより、通常の画像の代わりに黒色画像等を表示させることが可能になっている。また、ユーザは、ユーザインターフェイスを介して画像ミュートの解除を指示することにより、通常の画像が表示される状態に復帰させることができる。
【０００３】
多くの画像表示装置では、画像ミュートが解除された際に画像の表示を即座に再開できるよう、画像ミュートの状態でも光源を点灯させたままになっている。このため、画像ミュートの状態であっても、それが長時間継続すると多くの電力を消費してしまうことから、画像ミュートの状態に移行してから所定時間が経過した場合に、光源を消灯させて電源をオフ状態（スタンバイ状態）にする自動電源オフ機能を備えたものが知られている。
【０００４】
【特許文献１】特開２００３−２８００８７号公報
【発明の開示】
【発明が解決しようとする課題】
【０００５】
しかしながら、画像ミュートの状態と電源オフの状態は、通常の画像が表示されずに暗い表示状態である点で共通するため区別が容易ではなく、自動電源オフ機能によってオフ状態に移行したことに気付かない場合があった。このため、画像ミュートの状態から電源をオフにしようとして電源キーを操作した際に、自動電源オフ機能によって既にオフ状態に移行していたために電源をオン状態にさせてしまう場合があった。プロジェクタの光源は、一度点灯動作を開始させると内部状態が安定するまで所定時間消灯できないことが多いため、再度オフ状態に移行させるために、長い時間待たされてしまうことがあった。
【課題を解決するための手段】
【０００６】
本発明は、上述の課題の少なくとも一部を解決するためになされたものであり、以下の形態又は適用例として実現することが可能である。
【０００７】
［適用例１］本適用例に係る画像表示装置は、光源から射出される光を変調して形成した画像を表示する画像表示装置であって、前記光源が点灯するオン状態と前記光源が消灯するオフ状態とを切り替えるための操作を受け付ける電源操作部と、前記電源操作部に対する操作に応じて、前記オン状態と前記オフ状態とを交互に切り替える制御部と、を備え、前記制御部は、前記オフ状態で前記電源操作部が操作された場合に、前記光源の点灯を所定時間保留し、当該所定時間内に前記電源操作部が再度操作された場合には、前記光源の点灯を中止することを特徴とする。
【０００８】
この画像表示装置によれば、制御部は、オフ状態で電源操作部が操作された場合に、光源の点灯を所定時間保留し、この所定時間内に電源操作部が再度操作された場合には、光源の点灯を中止するため、電源操作部に対して誤ってオン状態に切り替える操作をしてしまった場合でも、光源の点灯を保留している間に再度電源操作部を操作することにより、光源が点灯してしまう事態を回避することが可能となる。
【０００９】
［適用例２］上記適用例に係る画像表示装置において、前記オン状態において所定の事象が生じた場合に、前記電源操作部に対する操作に依らずに前記オフ状態に切り替える自動電源オフ部をさらに備え、前記制御部は、前記自動電源オフ部によって前記オフ状態に切り替わった後で前記電源操作部が操作された場合に、前記光源の点灯を所定時間保留することが望ましい。
【００１０】
ユーザの操作に依らずに所定の事象に基づいてオフ状態に切り替わった場合には、ユーザは、これに気付かずに自らオフ状態に切り替えようとして誤ってオン状態に切り替える操作をしてしまう事態が生じやすい。しかしながら、この画像表示装置によれば、そのような事態でも光源の点灯を回避することが可能であるとともに、他の事象に基づいてオフ状態に切り替わった場合には、即座に光源を点灯させることが可能になるため、画像が表示されるまでの待ち時間を短縮することが可能となる。
【００１１】
［適用例３］上記適用例に係る画像表示装置において、情報を記憶する記憶部をさらに備え、前記自動電源オフ部は、前記オフ状態に切り替える際に、前記所定の事象が生じたことに基づいて前記オフ状態に切り替える旨を表す自動オフ情報を前記記憶部に記憶させ、前記制御部は、前記オフ状態から前記オン状態に切り替える際、前記記憶部に前記自動オフ情報が記憶されている場合に前記光源の点灯を所定時間保留することが望ましい。
【００１２】
この画像表示装置によれば、自動電源オフ部が、オフ状態に切り替える際に自動オフ情報が記憶部に記憶するため、制御部は、自動電源オフ部によってオフ状態に切り替えられたか否かを容易に判別することができる。
【００１３】
［適用例４］上記適用例に係る画像表示装置において、前記オン状態において前記光源を点灯させたまま前記画像の表示を停止させるミュート部をさらに備え、前記自動電源オフ部は、前記ミュート部が前記画像の表示を停止させてから所定時間が経過した場合に、前記オフ状態に切り替えることが望ましい。
【００１４】
この画像表示装置によれば、ミュート部が画像の表示を停止させてから所定時間が経過した場合に、自動電源オフ部がオフ状態に切り替える構成になっている。画像の表示を停止させた状態（画像ミュート状態）と、光源を消灯させたオフ状態は、ともに通常の画像が表示されない点で共通するため、画像ミュート状態からオフ状態に切り替わる場合には、ユーザは、オフ状態に切り替わったことに気付きにくくなってしまう。この場合には、電源操作部を誤って操作してしまう事態がさらに生じやすくなってしまうため、光源の点灯を回避できることがより一層効果的となる。
【００１５】
［適用例５］上記適用例に係る画像表示装置において、前記自動電源オフ部によって前記オフ状態に切り替わった後で前記電源操作部が操作された場合に、前記オン状態への切り替えを報知する報知部をさらに備えることが望ましい。
【００１６】
この画像表示装置によれば、オン状態への切り替えを報知する報知部を備えているため、ユーザは電源操作部を誤って操作してしまったことに容易に気付くことができる。
【００１７】
［適用例６］本適用例に係る画像表示装置の制御方法は、光源と、前記光源が点灯するオン状態及び前記光源が消灯するオフ状態を切り替えるための操作を受け付ける電源操作部と、前記電源操作部に対する操作に応じて前記オン状態と前記オフ状態とを交互に切り替える制御部と、を備え、前記光源から射出される光を変調して形成した画像を表示する画像表示装置の制御方法であって、前記オン状態において所定の事象が生じた場合に、前記電源操作部に対する操作に依らずに前記オフ状態に切り替える第１のステップと、前記第１のステップによって前記オフ状態に切り替わった後で前記電源操作部が操作された場合に、前記光源の点灯を所定時間保留する第２のステップと、前記第２のステップにおいて前記光源の点灯を保留している間に前記電源操作部が再度操作された場合に、前記光源の点灯を中止する第３のステップと、を備えたことを特徴とする。
【００１８】
この画像表示装置の制御方法によれば、所定の事象が生じてオフ状態に切り替わった後で電源操作部が操作された場合に、光源の点灯を所定時間保留し、この所定時間内に電源操作部が再度操作された場合には、光源の点灯を中止する。このため、所定の事象が生じてオフ状態に切り替わったことに気付かずに、オフ状態に切り替えようとして誤って電源操作部を操作した場合も、光源の点灯を保留している間に再度電源操作部を操作することにより、光源が点灯してしまう事態を回避することが可能となる。
【００１９】
また、上述した画像表示装置及びその制御方法が画像表示装置に備えられたコンピュータ（ＣＰＵ）を用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、画像表示装置の内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、画像表示装置の実施形態として、入力される画像情報に基づく画像（入力画像）を投写して、スクリーンや壁面等にこの入力画像を表示するプロジェクタについて説明する。本実施形態のプロジェクタは、ユーザの指示に応じて入力画像の表示を一時的に停止させるミュート機能を備えるとともに、ミュート機能によって表示が一時的に停止した状態（画像ミュート状態）が所定時間継続した場合に、自動的に電源をオフにする自動電源オフ機能を備えている。
【００２１】
図１は、本実施形態のプロジェクタの概略構成を示すブロック図である。
図１に示すように、プロジェクタ１は、画像投写部１０、制御部２０、記憶部２１、操作パネル２２、リモコン２３、操作信号受信部２４、入力端子群２５、入力ソース選択部２６、画像処理部２７、電源回路２８、光源制御部２９、冷却ファン３０、ファン駆動部３１、ＬＥＤ表示部３２、ブザー３３等で構成されている。
【００２２】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２５】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。また、制御部２０には、時間の計測を行う計時部としてのタイマ２０ａが備えられている。
【００２６】
記憶部２１は、マスクＲＯＭ（Read Only Memory）や、フラッシュメモリ、ＦｅＲＡＭ（Feorrelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２７】
操作パネル２２及びリモコン２３は、プロジェクタ１に対して各種指示を行うための入力操作部に相当するものであり、ユーザからの入力操作を受け付ける複数の操作キーを備えている。操作パネル２２及びリモコン２３が備える操作キーとしては、電源のオン・オフを交互に切り替えるための「電源キー」、入力ソースを切り替えるための「入力ソース切替キー」、画像表示の一時的な停止とその再開とを交互に切り替えるための「ミュートキー」等がある。ユーザが操作パネル２２の各種操作キーを操作すると、操作パネル２２は、ユーザの操作内容に応じた操作信号を制御部２０に出力する。また、ユーザがリモコン２３の各種操作キーを操作すると、リモコン２３は、ユーザの操作内容に応じた赤外線の操作信号を発し、操作信号受信部２４がこれを受信して制御部２０に伝達する。
【００２８】
入力端子群２５は、ビデオ再生装置やパーソナルコンピュータ等、図示しない外部の画像供給装置から、各種形式の画像情報を入力可能な複数の入力端子２５ａを備えている。各入力端子２５ａに入力された画像情報は、入力ソース選択部２６に供給される。
【００２９】
入力ソース選択部２６は、複数の入力端子２５ａのうち、制御部２０の指示に基づく１つの入力端子２５ａを選択し、この入力端子２５ａに入力される画像情報を画像処理部２７に出力する。ユーザが、リモコン２３に備わる入力ソース切替キーを操作して所望の入力端子２５ａを指定すると、制御部２０は、この入力端子２５ａに入力されている画像情報が画像処理部２７に出力されるよう、入力ソース選択部２６に指示をする。
【００３０】
画像処理部２７は、入力ソース選択部２６から入力される各種形式の画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素から射出する光の強弱（階調）が規定される。
【００３１】
さらに、画像処理部２７は、制御部２０の指示に基づいて、変換した画像情報に対して、明るさ、コントラスト、シャープネス、色合い等を調整するための画質調整処理等を行い、処理後の画像情報（入力画像を表す画像情報）をライトバルブ駆動部１４に出力する。また、画像処理部２７は、制御部２０の指示に基づいて、すべての画素の光透過率が最小となるように、すべての画素値を最小値（０）に設定する処理を行うことができる。この場合、ライトバルブ駆動部１４には、黒色の無地画像を表す画像情報が出力される。このように、画像処理部２７は、入力画像を表す画像情報を出力する状態と、黒色の無地画像を表す画像情報を出力する状態とを、制御部２０の指示の応じて切り替えることができる。
【００３２】
ライトバルブ駆動部１４が、画像処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３３】
電源回路２８には、外部からＡＣ１００Ｖ等の商用電源が供給される。電源回路２８は、商用電源（交流電源）を所定の電圧の直流電源に変換するとともに、プロジェクタ１の各部に電力を供給する。なお、制御部２０は、電源回路２８から電力の供給を受けて動作している間、電源回路２８に指示をして、画像の投写に必要な電力（動作電力）の供給と停止とを切り替えることができる。
【００３４】
光源制御部２９は、制御部２０の指示に基づいて、光源１１に対する電力の供給と停止とを制御し、光源１１の点灯及び消灯を切り替える。
【００３５】
冷却ファン３０は、軸流ファンやシロッコファン等により構成され、図示しない筐体内部の冷却に用いられる。冷却ファン３０が回転すると、外部の空気が筐体内に吸入され、冷却後の温まった空気が筐体外に排出される。
【００３６】
ファン駆動部３１は、冷却ファン３０を駆動するモータ等によって構成され、制御部２０の指示に応じて冷却ファン３０の回転やその停止を行う。
【００３７】
ＬＥＤ表示部３２は、１つ或いは複数のＬＥＤ（発光ダイオード）からなるインジケータであり、制御部２０の指示に基づいてその表示状態を切り替えることにより、ユーザにプロジェクタ１の動作状態（オン状態やスタンバイ状態等）を報知する。なお、ＬＥＤ表示部３２は、その表示状態、即ち点灯、点滅、消灯、発光色等を適宜切り替えることによって、多数の動作状態を表すことが可能になっている。
【００３８】
ブザー３３は、例えば、圧電ブザーからなり、制御部２０の制御によってビープ音を発生することができる。
【００３９】
次に、本実施形態のプロジェクタ１の動作について説明する。
プロジェクタ１に商用電源が供給されると、電源回路２８は、制御部２０、記憶部２１、操作パネル２２、操作信号受信部２４、ＬＥＤ表示部３２、ブザー３３に電力（スタンバイ電力）の供給を行い、制御部２０は、この電力供給を受けて、制御プログラムに従った動作を開始する。商用電源が供給された直後には、プロジェクタ１は、スタンバイ状態（オフ状態ともいう）であり、この状態では、制御部２０は、ＬＥＤ表示部３２を所定の色（本実施形態では、オレンジ色）で点灯させるとともに、操作パネル２２やリモコン２３の電源キーに対する操作を監視する。そして、電源キーが操作されると、制御部２０は、電源回路２８に指示をして動作電力の供給を開始させてプロジェクタ１をオン状態とし、その後、ＬＥＤ表示部３２を異なる色（本実施形態では、緑色）で点灯させ、冷却ファン３０の回転駆動、光源１１の点灯等の必要な初期動作を行う。そして、制御部２０が画像処理部２７に指示をして入力画像を表す画像情報を出力させると、画像投写部１０から入力画像が投写される。このように、入力画像が表示される状態を、本明細書では、通常表示状態と呼ぶ。なお、電源オン時の動作フローについては、後で詳述する。
【００４０】
また、オン状態において電源キーが操作された場合には、制御部２０は、光源１１の消灯や冷却ファン３０の停止等の必要な終了動作を行った後で、ＬＥＤ表示部３２をオレンジ色で点灯させるとともに、電源回路２８に指示をして動作電力の供給を停止させて、プロジェクタ１をスタンバイ状態とする。このように電源キーは、オン状態とスタンバイ状態とを交互に切り替えるための操作キーであり、本明細書では、スタンバイ状態における電源キーの操作を「オン操作」、オン状態における電源キーの操作を「オフ操作」と呼ぶ。
【００４１】
また、本実施形態のプロジェクタ１では、ユーザは、オン状態の通常表示状態において操作パネル２２或いはリモコン２３に備わるミュートキーを操作することにより、入力画像の表示を一時的に停止させた状態に移行させることができる。この状態は、光源１１を点灯させたまま黒色の無地画像を表示させた状態であり、本明細書では、この状態を画像ミュート状態と呼ぶ。ミュートキーが操作されて画像ミュート状態となった後、ユーザが再度ミュートキーを操作すると、画像ミュート状態は解除されて通常表示状態に復帰し、入力画像の表示が再開する。一方、画像ミュート状態において、ミュートキーが操作されずに所定時間が継続した場合には、プロジェクタ１は、自動電源オフ機能によってスタンバイ状態に移行する。
【００４２】
図２は、オン状態の通常表示状態でミュートキーが操作された際のプロジェクタ１の動作を説明するためのフローチャートである。通常表示状態において操作パネル２２或いはリモコン２３がミュートキーの操作を受け付けると、制御部２０は、図２に示すフローに従って動作する。
【００４３】
図２に示すように、ステップＳ１０１では、制御部２０は、画像処理部２７に指示をして、黒色の無地画像を表す画像情報を出力させて、入力画像の表示を停止させる。画像処理部２７が、この指示に応じて、すべての画素値を最小値（０）に設定した画像情報をライトバルブ駆動部１４に出力すると、画像投写部１０から光がほとんど照射されない状態、即ち画像投写部１０がスクリーンＳＣに黒色の無地画像を表示させた状態（画像ミュート状態）となる。
【００４４】
ステップＳ１０２では、制御部２０は、画像ミュート状態の継続時間を測定するために、タイマ２０ａによる計時を開始する。
【００４５】
ステップＳ１０３では、制御部２０は、操作パネル２２或いはリモコン２３に備わるミュートキーが再度操作されたか否かを判断する。この結果、ミュートキーが操作された場合にはステップＳ１０５に移行し、ミュートキーが操作されていない場合にはステップＳ１０４に移行する。
【００４６】
ミュートキーが操作されずにステップＳ１０４に移行した場合には、制御部２０は、タイマ２０ａによる計時結果に基づいて、画像ミュート状態に移行してから所定時間Ｔ１（例えば、３０分）が経過したか否か、即ち画像ミュート状態の継続時間が所定時間Ｔ１に達したか否かを判断する。この結果、所定時間Ｔ１に達した場合にはステップＳ１０７に移行する。一方、所定時間Ｔ１に達していない場合にはステップＳ１０３に戻り、ミュートキーが操作されるか、画像ミュート状態の継続時間が所定時間Ｔ１に達するまでステップＳ１０３，Ｓ１０４を繰り返す。
【００４７】
ステップＳ１０３においてミュートキーが操作されてステップＳ１０５に移行した場合には、制御部２０は、ステップＳ１０２で開始した計時を停止し、続くステップＳ１０６では、画像処理部２７に指示をして入力画像の表示を再開させて処理を終了する。画像処理部２７が、この指示を受けて入力画像を表す画像情報をライトバルブ駆動部１４に出力すると、スクリーンＳＣには入力画像が表示され、通常表示状態に復帰する。
【００４８】
また、ステップＳ１０４において画像ミュート状態の継続時間が所定時間Ｔ１に達した場合には、制御部２０は、自動電源オフ機能によってプロジェクタ１の動作状態をスタンバイ状態に移行させる。ここで、本実施形態のプロジェクタ１は、何らかの要因によってオン状態からスタンバイ状態に移行する際に、その要因を表す要因情報を記憶部２１に記憶するようになっている。このため、ステップＳ１０７では、自動電源オフ機能によってスタンバイ状態に移行する旨を表す情報（自動オフ情報）を要因情報として記憶部２１に記憶（保存）する。なお、本実施形態のプロジェクタ１は、上記の要因以外に、電源キーが操作（オフ操作）された場合や、図示しない異常検出部が内部異常（例えば、高温異常等）を検出した場合等にオン状態からスタンバイ状態に移行するようになっており、制御部２０は、これらの場合にも、スタンバイ状態への移行に先立ってそれぞれの要因を表す要因情報を記憶部２１に記憶する。
【００４９】
ステップＳ１０８では、制御部２０は、光源制御部２９に指示をして光源１１を消灯させ、ステップＳ１０９では、ファン駆動部３１に指示をして冷却ファン３０の回転を停止させる。そして、ステップＳ１１０では、制御部２０は、プロジェクタ１がスタンバイ状態にあることをユーザに報知するために、ＬＥＤ表示部３２の表示状態をオレンジ色で点灯する状態に変更する。その後、ステップＳ１１１では、制御部２０は、電源回路２８に指示をして動作電力の供給を停止させ、プロジェクタ１をスタンバイ状態に移行させて処理を終了する。
【００５０】
上述したように、スタンバイ状態では、制御部２０は、電源キーの操作（オン操作）を監視しており、ユーザが電源キーを操作すると、プロジェクタ１はオン状態に移行する。本実施形態では、自動電源オフ機能によってスタンバイ状態に移行した後で、ユーザがこれに気付かずにオフ操作のつもりで電源キーをオン操作してしまうことを想定し、誤ってオン操作を行ってしまった場合に、光源１１を点灯させることなくオン状態への移行を中止できるようになっている。具体的には、プロジェクタ１は、オン操作がなされた後、光源１１の点灯を所定時間保留するようになっており、その間に再度電源キーが操作された場合には、即座にスタンバイ状態に戻ることができる。
【００５１】
図３は、オン操作がなされた際のプロジェクタ１の動作を説明するためのフローチャートである。スタンバイ状態において操作パネル２２或いはリモコン２３が電源キーの操作を受け付けると、制御部２０は、図３に示すフローに従って動作する。
【００５２】
図３に示すように、ステップＳ２０１では、制御部２０は、ブザー３３から短いビープ音を発生させて、オン操作時の動作を開始する旨をユーザに報知し、続くステップＳ２０２では、制御部２０は、電源回路２８に指示をして動作電力の供給を開始させて、プロジェクタ１をオン状態に移行させる。その後、ステップＳ２０３では、制御部２０は、ファン駆動部３１に指示をして冷却ファン３０の回転駆動を開始させる。
【００５３】
ステップＳ２０４では、制御部２０は、記憶部２１から要因情報を読み出し、ステップＳ２０５では、読み出した要因情報が自動オフ情報であるか否かを判断する。この結果、要因情報が自動オフ情報である場合、即ち、自動電源オフ機能によりスタンバイ状態に移行した場合にはステップＳ２０６に移行し、要因情報が自動オフ情報でない場合にはステップＳ２１３に移行する。
【００５４】
ステップＳ２０６に移行した場合には、制御部２０は、光源１１を点灯させるまでの保留時間を測定するためにタイマ２０ａによる計時を開始し、ステップＳ２０７では、プロジェクタ１がオン状態にあることと光源１１の点灯を保留していることとをユーザに報知するために、ＬＥＤ表示部３２の表示状態を緑色で点滅する状態に変更する。
【００５５】
ステップＳ２０８では、制御部２０は、電源キーの操作（オフ操作）がなされたか否かを判断する。この結果、オフ操作が操作された場合にはステップＳ２１０に移行し、オフ操作がなされない場合にはステップＳ２０９に移行する。
【００５６】
オフ操作がなされずにステップＳ２０９に移行した場合には、制御部２０は、タイマ２０ａの計時結果に基づいて、計時を開始してから所定時間Ｔ２（例えば、３秒）が経過したか否か、即ち保留時間が所定時間Ｔ２に達したか否かを判断する。この結果、所定時間Ｔ２に達していない場合には、ステップＳ２０８に戻って、オフ操作がなされるか、保留時間が所定時間Ｔ２に達するまでステップＳ２０８，Ｓ２０９を繰り返す。一方、保留時間が所定時間Ｔ２に達した場合にはステップＳ２１３に移行する。
【００５７】
保留時間が所定時間Ｔ２に達する前にオフ操作がなされてステップＳ２１０に移行した場合には、制御部２０は、ファン駆動部３１に指示をして冷却ファン３０の回転を停止させ、ステップＳ２１１では、プロジェクタ１がスタンバイ状態にあることをユーザに報知するために、ＬＥＤ表示部３２の表示状態をオレンジ色で点灯する状態に変更する。その後、ステップＳ２１２では、制御部２０は、電源回路２８に指示をして動作電力の供給を停止させ、プロジェクタ１をスタンバイ状態に移行させて処理を終了する。
【００５８】
また、ステップＳ２０５又はステップＳ２０９からステップＳ２１３に移行した場合には、制御部２０は、プロジェクタ１がオン状態にあることと保留時間が経過したこととをユーザに報知するために、ＬＥＤ表示部３２の表示状態を緑色で点灯する状態に変更する。そして、ステップＳ２１４では、制御部２０は、光源制御部２９に指示をして光源１１を点灯させる等の必要な初期動作を行い、続くステップＳ２１５では、画像処理部２７に指示をして入力画像を表示させて処理を終了する。画像処理部２７が、この指示を受けて入力画像を表す画像情報をライトバルブ駆動部１４に出力すると、スクリーンＳＣには入力画像が表示され、通常表示状態となる。
【００５９】
このように、本実施形態のプロジェクタ１は、自動電源オフ機能によってスタンバイ状態になった後でオン操作がなされると、光源１１の点灯を所定時間保留する。そして、その間にオフ操作がなされれば、光源１１を点灯させることなくスタンバイ状態に復帰する。一方、光源１１の点灯の保留時間が所定時間に達した場合には、プロジェクタ１は、光源１１を点灯させて入力画像の表示を開始する。
【００６０】
以上説明したように、本実施形態のプロジェクタ１によれば、以下の効果を得ることができる。
（１）本実施形態のプロジェクタ１によれば、自動電源オフ機能によってスタンバイ状態に切り替わった後で電源キーが操作された場合に、制御部２０が光源１１の点灯を所定時間保留し、この所定時間内に電源キーが再度操作された場合には、光源１１の点灯を中止してスタンバイ状態に戻るようになっている。このため、ユーザが自動電源オフ機能によってスタンバイ状態に切り替わったことに気付かずに、自らスタンバイ状態に切り替えようとして誤って電源キーを操作（オン操作）した場合でも、光源１１の点灯を保留している間に再度電源キーを操作（オフ操作）することにより、光源１１が点灯してしまう事態を回避することが可能となる。つまり、オフ操作を行うために、光源１１の内部状態が安定するのを待つ必要がなくなる。
【００６１】
（２）本実施形態のプロジェクタ１によれば、オン操作がなされた場合に、ブザー３３がビープ音を発し、さらに、読み出した要因情報が自動オフ情報である場合には、ＬＥＤ表示部３２の表示状態をオレンジ色の点灯状態から緑色の点滅状態に変更する。このため、ユーザは電源キーを誤ってオン操作してしまったことに容易に気付くことができる。
【００６２】
（３）本実施形態のプロジェクタ１によれば、画像ミュート状態が所定時間継続した場合に、自動電源オフ機能によりスタンバイ状態に切り替わるようになっている。画像ミュート状態と、光源１１が消灯したスタンバイ状態は、ともに通常の画像が表示されず暗い表示状態である点で共通するため、画像ミュート状態からスタンバイ状態に切り替わる場合には、ユーザは、スタンバイ状態に切り替わったことに気付きにくくなってしまう。この場合には、電源キーを誤って操作してしまう事態がさらに生じやすくなってしまうため、光源１１の点灯を回避できることがより一層効果的となる。
【００６３】
（４）本実施形態のプロジェクタ１によれば、オン操作がなされた後、記憶部２１から読み出した要因情報が自動オフ情報である場合にのみ、光源１１の点灯を所定時間保留するようになっているため、他の要因（事象）に基づいてスタンバイ状態に切り替わった場合には、即座に光源１１を点灯させることが可能となり、入力画像が表示されるまでの待ち時間を短縮することが可能となる。
【００６４】
（５）本実施形態のプロジェクタ１によれば、自動電源オフ機能によりスタンバイ状態に切り替える際に、制御部２０は、自動オフ情報を要因情報として記憶部２１に記憶するため、この要因情報を読み出すことにより、自動電源オフ機能によってスタンバイ状態に移行したか否かを容易に判別することができる。
【００６５】
なお、本実施形態において、操作パネル２２及びリモコン２３に備わる電源キーが電源操作部に相当する。そして、ステップＳ１０１を実行して画像ミュート状態に移行させる際の制御部２０がミュート部に相当し、画像ミュート状態が所定時間継続した場合に、ステップＳ１０７〜Ｓ１１１を実行してスタンバイ状態に移行させる際の制御部２０が自動電源オフ部に相当する。また、オン操作の後、ブザー３３が発するビープ音や、ＬＥＤ表示部３２の表示状態が緑色の点滅状態となることにより、ユーザは、オン状態に移行することを認識可能であるため、ブザー３３及びＬＥＤ表示部３２は、報知部に相当する。なお、冷却ファン３０の回転音が鳴り始めることによってもオン状態に移行することを認識できることから、冷却ファン３０を報知部とみなすことも可能である。
【００６６】
（変形例）
また、前記実施形態は、以下のように変更してもよい。
前記実施形態では、自動電源オフ機能によってスタンバイ状態に切り替わった後で電源キーがオン操作された場合に、制御部２０が光源１１の点灯を所定時間保留するようにしているが、スタンバイ状態で電源キーがオン操作された場合には、常に光源１１の点灯を所定時間保留するようにしてもよい。
【００６７】
前記実施形態では、画像ミュート状態において黒色の無地画像を表示するようにしているが、これに限定されず、他の画像を表示するようにしてもよい。
【００６８】
前記実施形態では、画像ミュート状態の継続時間が所定時間Ｔ１に達した場合に、自動電源オフ機能によりスタンバイ状態に移行するようになっているが、自動電源オフ機能によってスタンバイ状態に移行させる事象はこれに限定されない。例えば、図４に示すように、画像信号の入力の有無を検出する信号検出部３４を備え、画像信号の入力がない状態が所定時間継続した場合に、自動電源オフ機能によりスタンバイ状態に移行するようにしてもよい。
【００６９】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源１１から射出される光を変調する微小ミラーアレイデバイス等を用いることもできる。
【００７０】
前記実施形態では、光源１１は、放電型の光源ランプ１１ａによって構成されているが、ＬＥＤ（Light Emitting Diode：発光ダイオード）光源等の固体光源や、その他の光源を用いることもできる。
【００７１】
前記実施形態では、画像表示装置として、光源１１から射出された光を変調して投写するプロジェクタ１を例にして説明しているが、透過型のスクリーンを一体的に備えたリアプロジェクタ、或いは、光源としてバックライトを備えた液晶ディスプレイ等に適用することも可能である。
【図面の簡単な説明】
【００７２】
【図１】実施形態に係るプロジェクタの概略構成を示すブロック図。
【図２】オン状態の通常表示状態でミュートキーが操作された際のプロジェクタの動作を説明するためのフローチャート。
【図３】オン操作がなされた際のプロジェクタの動作を説明するためのフローチャート。
【図４】変形例に係るプロジェクタの概略構成を示すブロック図。
【符号の説明】
【００７３】
１…プロジェクタ、１０…画像投写部、１１…光源、１１ａ…光源ランプ、１１ｂ…リフレクタ、１２Ｒ，１２Ｇ，１２Ｂ…液晶ライトバルブ、１３…投写レンズ、１４…ライトバルブ駆動部、２０…制御部、２０ａ…タイマ、２１…記憶部、２２…操作パネル、２３…リモコン、２４…操作信号受信部、２５…入力端子群、２５ａ…入力端子、２６…入力ソース選択部、２７…画像処理部、２８…電源回路、２９…光源制御部、３０…冷却ファン、３１…ファン駆動部、３２…ＬＥＤ表示部、３３…ブザー、３４…信号検出部、ＳＣ…スクリーン。
【図１】
2009042263.tif 000003
【図２】
2009042263.tif 000004
【図３】
2009042263.tif 000005
【図４】
2009042263.tif 000006